(57)【要約】  デジタルマップが、マップビューポートにおけるユーザインターフェースを介して表示される。デジタルマップは、地理的エリアにおけるそれぞれのエンティティを表すさまざまな特徴を含み、それらの特徴のそれぞれは、同じ拡大レベルで表示される。ジオロケートされた関心ポイントが、地理的エリア内で決定され、マップビューポートの焦点が決定される。インジケータのうちのそれぞれに関して、インジケータに対応する地理的ロケーションと、マップビューポートの焦点に対応する地理的ロケーションとの間の距離にしたがってインジケータのサイズが変更される。インジケータは次いで、デジタルマップ上に表示される。
2020533617.tif 000002
【特許請求の範囲】
【請求項１】
コンピューティングデバイスにおいて地理的コンテンツを表示するための方法であって、
マップビューポート内のユーザインターフェースを介して、地理的エリアにおけるそれぞれのエンティティを表す複数の特徴を含むデジタルマップを表示するステップであって、前記複数の特徴のそれぞれが同じ拡大レベルで表示される、ステップと、
1つまたは複数のプロセッサによって、前記地理的エリア内の複数のジオロケートされた関心ポイントを決定するステップと、
前記1つまたは複数のプロセッサによって、前記マップビューポートの焦点を決定するステップと、
前記マップ上にオーバーレイされた前記複数の関心ポイントに関するそれぞれのインジケータを前記マップビューポート内に表示するステップであって、前記複数のインジケータのそれぞれに関して、前記インジケータに対応する地理的ロケーションと、前記マップビューポートの前記焦点に対応する地理的ロケーションとの間の距離にしたがって前記インジケータのサイズを変更するステップを含む、ステップと
を含む、方法。
【請求項２】
前記インジケータに対応する前記地理的ロケーションと、前記マップビューポートの前記焦点に対応する前記地理的ロケーションとの間における前記距離にしたがって前記インジケータの色を変更するステップをさらに含む、請求項1に記載の方法。
【請求項３】
前記インジケータに対応する前記地理的ロケーションと、前記マップビューポートの前記焦点に対応する前記地理的ロケーションとの間における前記距離にしたがって、前記インジケータが表示される詳細のレベルを変更するステップをさらに含む、請求項1に記載の方法。
【請求項４】
前記複数のジオロケートされた関心ポイントが、第1のカテゴリーに対応する第1の複数のジオロケートされた関心ポイントであり、前記方法が、
前記1つまたは複数のプロセッサによって、前記地理的エリア内の第2の複数のジオロケートされた関心ポイントを決定するステップであって、前記第2の複数のジオロケートされた関心ポイントが第2のカテゴリーに対応する、ステップと、
前記マップ上にオーバーレイされた前記第2の複数の関心ポイントに関する等しいサイズのそれぞれのインジケータを前記マップビューポート内に表示するステップと
をさらに含む、請求項1に記載の方法。
【請求項５】
前記焦点を決定するステップが、前記ビューポートの幾何学的中心を決定するステップを含み、前記幾何学的中心が前記焦点を定義する、請求項1に記載の方法。
【請求項６】
前記デジタルマップを表示するステップが、タッチスクリーン上に前記デジタルマップを表示するステップを含み、前記焦点を決定するステップが、前記ビューポート内の接触ポイントを決定するステップを含み、前記接触ポイントが前記焦点を定義する、請求項1に記載の方法。
【請求項７】
前記コンピューティングデバイスの現在のロケーションを決定するステップと、
前記コンピューティングデバイスの前記現在のロケーションを表す前記マップビューポート内のポイントを決定するステップであって、前記決定されたポイントが前記焦点を定義する、ステップと
をさらに含む、請求項1に記載の方法。
【請求項８】
1つまたは複数の検索語を含む地理的クエリを受信するステップをさらに含み、前記複数のジオロケートされた関心ポイントを決定するステップが、前記地理的クエリに応答して複数のジオロケートされた検索結果を受信するステップを含む、請求項1に記載の方法。
【請求項９】
前記ユーザインターフェースを介して、地理的エリアの選択を受信するステップをさらに含み、前記複数のジオロケートされた関心ポイントを決定するステップが、前記地理的エリア内に配置された自動的な示唆の表示を受信するステップを含む、請求項1に記載の方法。
【請求項１０】
コンピューティングデバイスであって、
ユーザインターフェースと、
処理ハードウェアと、
命令を格納している非一時的コンピュータ可読メモリと
を含み、前記命令が、前記処理ハードウェアによって実行されたときに、前記コンピューティングデバイスに、
マップビューポート内の前記ユーザインターフェースを介して、地理的エリアにおけるそれぞれのエンティティを表す複数の特徴を含むデジタルマップを表示することであって、前記複数の特徴のそれぞれが同じ拡大レベルで表示される、表示することと、
前記地理的エリア内の複数のジオロケートされた関心ポイントを決定することと、
前記マップビューポートの焦点を決定することと、
前記マップ上にオーバーレイされた前記複数の関心ポイントに関するそれぞれのインジケータを前記マップビューポート内に表示することであって、前記複数のインジケータのそれぞれに関して、前記インジケータに対応する地理的ロケーションと、前記マップビューポートの前記焦点に対応する地理的ロケーションとの間の距離にしたがって前記インジケータのサイズを変更することを含む、表示することと
を行わせる、コンピューティングデバイス。
【請求項１１】
前記命令が、前記処理ハードウェアによって実行されたときに、前記インジケータに対応する前記地理的ロケーションと、前記マップビューポートの前記焦点に対応する前記地理的ロケーションとの間における前記距離にしたがって前記インジケータの色を変更することを前記コンピューティングデバイスに行わせる、請求項10に記載のコンピューティングデバイス。
【請求項１２】
前記命令が、前記処理ハードウェアによって実行されたときに、前記インジケータに対応する前記地理的ロケーションと、前記マップビューポートの前記焦点に対応する前記地理的ロケーションとの間における前記距離にしたがって、前記インジケータが表示される詳細のレベルを変更することを前記コンピューティングデバイスに行わせる、請求項10に記載のコンピューティングデバイス。
【請求項１３】
前記複数のジオロケートされた関心ポイントが、第1のカテゴリーに対応する第1の複数のジオロケートされた関心ポイントであり、前記命令が、前記処理ハードウェアによって実行されたときに、
前記地理的エリア内の第2の複数のジオロケートされた関心ポイントを決定することであって、前記第2の複数のジオロケートされた関心ポイントが、第2のカテゴリーに対応する、決定することと、
前記マップ上にオーバーレイされた前記第2の複数の関心ポイントに関する等しいサイズのそれぞれのインジケータを前記マップビューポート内に表示することと
を前記コンピューティングデバイスに行わせる、請求項10に記載のコンピューティングデバイス。
【請求項１４】
前記焦点を決定するために、前記命令が、前記ビューポートの幾何学的中心を決定することを前記コンピューティングデバイスに行わせ、前記幾何学的中心が前記焦点を定義する、請求項10に記載のコンピューティングデバイス。
【請求項１５】
コンピューティングデバイスにおいて地理的コンテンツを表示するための方法であって、
1つまたは複数のプロセッサによってユーザインターフェースを介して、第1の地理的エリアを示すためにマップビューポート内にデジタルマップを提供するステップであって、前記マップが、前記デジタルマップの現在視認可能な部分を定義する、ステップと、
前記1つまたは複数のプロセッサによって、前記第1の地理的エリアと同じズームレベルで第2の地理的エリアを示すために、ユーザインターフェースを介して受け取られたユーザコマンドにしたがって前記デジタルマップに対して前記マップビューポートをパンするステップであって、前記第1の地理的エリアおよび前記第2の地理的エリアが重なり合って、重なりの領域を定義する、ステップと、
前記重なりの領域において関心ポイントのインジケータを表示するステップであって、前記マップビューポートが前記第1の地理的エリアから前記第2の地理的エリアへパンされた際に前記インジケータの1つまたは複数の視覚的なプロパティを修正するステップを含む、ステップと
を含む、方法。
【請求項１６】
前記インジケータの前記1つまたは複数の視覚的なプロパティを修正するステップが、前記インジケータのサイズを修正するステップを含む、請求項15に記載の方法。
【請求項１７】
前記1つまたは複数のプロセッサによって、前記マップビューポートの焦点を決定するステップと、
前記1つまたは複数のプロセッサによって、前記インジケータに対応する地理的ロケーションと、前記焦点に対応する地理的ロケーションとの間の距離を決定するステップと
をさらに含み、
前記インジケータの前記1つまたは複数の視覚的なプロパティを修正するステップが、前記決定された距離にしたがって前記1つまたは複数の視覚的なプロパティを修正するステップを含む、
請求項15に記載の方法。
【請求項１８】
前記マップビューポートの前記焦点を決定するステップが、前記マップビューポートの幾何学的中心を決定するステップを含む、請求項17に記載の方法。
【請求項１９】
前記マップビューポートの前記焦点を決定するステップが、前記コンピューティングデバイスの現在のロケーションを決定するステップを含む、請求項17に記載の方法。
【請求項２０】
前記デジタルマップを表示するステップが、タッチスクリーン上に前記デジタルマップを表示するステップを含み、前記焦点を決定するステップが、前記ビューポート内の接触ポイントを決定するステップを含む、請求項17に記載の方法。
【発明の詳細な説明】
【技術分野】
【０００１】
本開示は、インタラクティブな地理アプリケーションに関し、より詳細には、デジタルマップ上でロケーションを示すインジケータの視覚的なプロパティを動的に変更することに関する。
【背景技術】
【０００２】
本明細書において提供されている背景技術の記述は、本開示の文脈を大まかに提示することを目的とする。この背景技術の項において記載された範囲において、ここに名前を挙げられている発明者らの業績、ならびに別の場合では出願の時点において従来技術とみなされない可能性があるこの記述の諸態様は、明示的にも黙示的にも、本開示に対する従来技術として認められるものではない。
【０００３】
さまざまなコンピューティングデバイスが、地理的エリアのインタラクティブなデジタルマップを表示するための地理ソフトウェアアプリケーションをサポートしている。地理アプリケーションは典型的に、所望のロケーションにわたってデジタルマップの視認可能な部分を定義するウィンドウ(「マップビューポート」と呼ばれることがある)を位置付けるための方向制御、回転制御、およびズーム制御を提供する。たとえば、これらの制御は、デジタルマップにオーバーレイするボタンの形態で提供されることが可能である。別の例として、タッチスクリーンを備えたデバイスにおいて動作する地理アプリケーションは、ユーザのジェスチャーをサポートすることが可能であり、それによってユーザは、自分の指を所望の方向にスワイプすることによってデジタルマップにわたってパンすること、2本の指をピンチしてくっつけていくことによってエリア上でズームインすること、2本の指を広げて離していくことによってエリア上でズームアウトすることなどが可能である。
【０００４】
いくつかの地理アプリケーションはまた、たとえばデジタルマップ上の関心ポイントのロケーションを示すために、ドットなどのインジケータを生成する。たとえば、地理アプリケーションは、対応するロケーションにおいてドットを表示することによって、検索クエリの結果を示すことが可能である。
【発明の概要】
【課題を解決するための手段】
【０００５】
本開示の地理アプリケーションは、デジタルマップ上の場所またはイベントを表すインジケータの1つまたはいくつかの視覚的なプロパティを動的に変更して、ユーザにとってさらに関心がある可能性が高いインジケータの視認性を改善すること、スクリーン不動産の利用を改善すること、コンテンツの誤った選択の確率を低減することなどを行う。視覚的なプロパティの例は、サイズ、色、およびテキストの量を含むことが可能である。地理アプリケーションは、それらの視覚的なプロパティを、下にあるデジタルマップの視覚的なプロパティから独立して変更することが可能である。さまざまな実装形態および/またはシナリオにおいては、地理アプリケーションは、インジケータと、マップビューポートの幾何学的中心との間の距離、インジケータと、マップビューポートが表示されるタッチスクリーンとの接触ポイントとの間の距離、インジケータと、ユーザのコンピューティングデバイスの現在のロケーションに対応するデジタルマップのポイントとの間の距離などにしたがってインジケータの視覚的なプロパティを変更することが可能である。
【０００６】
より具体的には、これらの技術の一実施形態は、コンピューティングデバイスにおいて地理的コンテンツを表示するための方法である。本方法は、マップビューポート内のユーザインターフェースを介して、地理的エリアにおけるそれぞれのエンティティを表す特徴を含むデジタルマップを表示するステップを含み、それらの特徴のそれぞれは、同じ拡大レベルで表示される。本方法はさらに、地理的エリア内のジオロケートされた関心ポイントを決定するステップと、マップビューポートの焦点を決定するステップと、マップ上にオーバーレイされた関心ポイントに関するそれぞれのインジケータをマップビューポート内に表示するステップとを含む。それらのインジケータのそれぞれに関して、本方法は、インジケータに対応する地理的ロケーションと、マップビューポートの焦点に対応する地理的ロケーションとの間の距離にしたがってインジケータのサイズを変更するステップを含む。
【０００７】
別の実施形態においては、コンピューティングデバイスが、ユーザインターフェースと、ユーザインターフェースに結合された処理ハードウェア(1つまたは複数のプロセッサなど)と、命令を格納している非一時的コンピュータ可読媒体とを含む。命令は、処理ハードウェアによって実行されたときに、マップビューポート内のユーザインターフェースを介して、地理的エリアにおけるそれぞれのエンティティを表す特徴を含むデジタルマップを表示することであって、複数の特徴のそれぞれが、同じ拡大レベルで表示される、表示することと、地理的エリア内のジオロケートされた関心ポイントを決定することと、マップビューポートの焦点を決定することと、マップ上にオーバーレイされた複数の関心ポイントに関するそれぞれのインジケータをマップビューポート内に表示することであって、それらのインジケータのそれぞれに関して、インジケータに対応する地理的ロケーションと、マップビューポートの焦点に対応する地理的ロケーションとの間の距離にしたがってインジケータのサイズを変更することを含む、表示することとをコンピューティングデバイスに行わせる。
【０００８】
さらに別の実施形態においては、地理的コンテンツを表示するための方法が、コンピューティングデバイスにおいて実施されることが可能である。本方法は、ユーザインターフェースを介して、第1の地理的エリアを示すためにマップビューポート内にデジタルマップを提供するステップであって、マップが、デジタルマップの現在視認可能な部分を定義する、ステップと、1つまたは複数のプロセッサによって、第1の地理的エリアと同じズームレベルで第2の地理的エリアを示すために、ユーザインターフェースを介して受け取られたユーザコマンドにしたがってデジタルマップに対してマップビューポートをパンするステップであって、第1の地理的エリアおよび第2の地理的エリアが重なり合って、重なりの領域を定義する、ステップと、重なりの領域において関心ポイントのインジケータを表示するステップであって、マップビューポートが第1の地理的エリアから第2の地理的エリアへパンされた際にインジケータの1つまたは複数の視覚的な特性を修正することを含む、ステップとを含む。
【図面の簡単な説明】
【０００９】
【図１】インジケータの視覚的なプロパティを動的に変更するための本開示の技術が実施されることが可能である例示的なシステムのブロック図である。
【図２】図1のコンピューティングデバイス上で表示されることが可能である、デジタルマップ上にオーバーレイされた動的に変更された視覚的なプロパティを伴う例示的なデジタルマップおよびインジケータを示す図である。
【図３Ａ】図1のコンピューティングデバイスにおいて実施されることが可能である、インジケータの層に対するマップビューポートの動きを概略的に示す図である。
【図３Ｂ】図1のコンピューティングデバイスにおいて実施されることが可能である、動きを考慮してインジケータの視覚的なプロパティを変更することを概略的に示す図である。
【図４】図1のシステムにおいて実施されることが可能である、インジケータの視覚的なプロパティが動的に変更される、デジタルマップ上でのインジケータの階層化を概略的に示す図である。
【図５】図1のシステムにおいて実施されることが可能である、いくつかのインジケータの視覚的なプロパティが動的に変更される一方でその他のインジケータの視覚的なプロパティは変更されない、デジタルマップ上でのインジケータの別の階層化を概略的に示す図である。
【図６】図1のシステムにおいて実施されることが可能である、焦点までの距離にしたがってデジタルマップ上にインジケータを表示するための例示的な方法の流れ図である。
【図７】図1のシステムにおいて実施されることが可能である、デジタルマップ上にオーバーレイされたインジケータの視覚的なプロパティをビューポートの動きにしたがって修正するための例示的な方法の流れ図である。
【発明を実施するための形態】
【００１０】
一般的に言えば、コンピューティングデバイス上で実行する地理ソフトウェアは、たとえば示唆を求める地理的クエリまたは黙示的要求に応答して、地理的エリアのインタラクティブなデジタルマップを提供することと、場所またはイベントのインジケータを表示することとを行うように構成される。間違ったインジケータをユーザが誤って選択する確率を低減する目的で、スクリーン不動産をより効率よく利用して「タップ可能度」を改善するために、地理ソフトウェアは、インタラクティブなインジケータの視覚的なプロパティを動的に変更する。地理ソフトウェアは、スクリーン上の決定の焦点にさらに近く配置されたインジケータをより目立つ様式で提示する。以降でさらに詳細に論じられるように、地理ソフトウェアは、インジケータのサイズを大きくすること、より明るい色を使用すること、より多くのテキストおよび/またはグラフィックの詳細を提供することなどが可能である。
【００１１】
これらの技術が実施されることが可能である例示的なシステム10が、図1において示される。システム10は、ユーザデバイス12を含み、ユーザデバイス12は、たとえばスマートフォンもしくはタブレットコンピュータなどのポータブルデバイス、デスクトップコンピュータなどの非ポータブルデバイス、またはナビゲータなどの専用コンピューティングデバイスであることが可能である。ユーザデバイス12は、1つもしくはいくつかの中央処理装置(CPU)および/またはいくつかのグラフィックスプロセッシングユニット(GPU)などの1つまたは複数のプロセッサ14と、永続的な(たとえば、フラッシュディスク)および/または非永続的な(たとえば、ランダムアクセスメモリ(RAM))コンポーネントを含むことが可能であるコンピュータ可読メモリ20と、たとえばタッチスクリーンまたはディスプレイデバイスを入力デバイスとともに含むことが可能であるユーザインターフェース22と、有線通信リンクおよび/またはワイヤレス通信リンクを介してデータを伝送および受信するためのネットワークインターフェース24と、グローバルポジショニングサービス(GPS)モジュール、加速度計、ジャイロスコープ等などの測位ユニットを含むことが可能である1つまたは複数のセンサ26とを含むことが可能である。
【００１２】
ユーザインターフェース22は、タイプされたコマンド、音声コマンド、タッチセンシティブ表面に適用されたフィンガージェスチャー、3次元のハンドジェスチャー、マウスクリック、およびその他の適切なタイプのユーザ入力を処理するように構成されることが可能である。同様に、ユーザインターフェース22は、コンテンツを表示すること、オーディオ信号を生成すること、触覚(たとえば、振動)出力を提供することなどを行うように構成されることが可能である。本開示の技術に特に関連しているいくつかの実装形態においては、ユーザデバイス12はスマートフォンであり、ユーザインターフェース22は、たとえばラップトップコンピュータのスクリーンよりも著しく小さいスクリーンを有するタッチスクリーンを含む。
【００１３】
メモリ20は、オペレーティングシステム40と、地理アプリケーション42などのさまざまなソフトウェアアプリケーションとを実施する、1つまたは複数のプロセッサ14上で実行可能な命令を格納することが可能である。地理アプリケーション42は、インタラクティブなデジタルマップ、ナビゲーション指示、地理的クエリの結果等などの地理的コンテンツを生成することに特化した専用ソフトウェアアプリケーションであることが可能である。別の実装形態においては、汎用ブラウザアプリケーションが、地理的コンテンツを生成するためのスクリプトおよび/またはアプリケーションプログラミングインターフェース(API)機能を実行する。インタラクティブなデジタルマップと、変更可能な視覚的なプロパティを有するインジケータとを提供する機能性は、API、ライブラリ、プラグイン、または別のソフトウェアアプリケーションによって呼び出される別のソフトウェアコンポーネントの形態で提供されることが可能であるが、ソフトウェアモジュール42は、本開示においては地理アプリケーションと呼ばれる。地理アプリケーション42は、以降で論じられているように、メモリ20にローカルに格納されたマップデータ上で動作すること、またはオンライン地理サービスから地理的コンテンツを受信することが可能である。地理アプリケーション42は、以降で論じられているように、インジケータに関する視覚的なプロパティを選択するように構成されるインジケータ管理モジュール44を含むことが可能である。
【００１４】
図1を引き続き参照すると、通信ネットワーク50は、インターネット、または有線通信リンクおよび/もしくはワイヤレス通信リンクを含むその他の任意の適切なネットワークであることが可能である。ユーザデバイス12は一般に、マップデータ、ナビゲーション指示、地理的クエリへの応答等などのさまざまな地理的コンテンツを受信するために、任意の数のサーバと通信することが可能である。簡潔にするために、図1は、さまざまな自然の地理的特徴(たとえば、川、山、森)ならびに人工の地理的特徴(たとえば、道路、建物、公園)などを記述するマップデータを格納することが可能である、マップデータベース62に結合されたマップデータ/地理データサーバ60を1つだけ示す。マップデータは、たとえば相互接続された頂点および/またはビットマップイメージのセットとしてのベクトルグラフィックスフォーマットでのマップ特徴の記述を含むことが可能である。サーバ60は、決定の地理的領域に関するマップイメージを生成するためのマップデータを取り出すこと、およびそのマップデータをユーザデバイス12に提供することが可能である。サーバ60はまた、さまざまな関心ポイントおよびジオロケートされたイベントに関する情報を格納する場所ページデータベース64に結合されることが可能である。その情報は、たとえば営業時間、レビュー、関連付けられているメディアファイルを含むことが可能である。サーバ60は、たとえば地理的クエリに情報提供するために場所ページデータベース64から場所ページデータを取り出すことが可能である。
【００１５】
システム10は一般に、フロントエンドサーバがユーザ要求を処理し、バックエンドサーバが、マップタイルを生成することなどのバッチジョブを実行するように構成される多層構成を含む任意の適切な構成での1つまたはいくつかのサーバ60を含むことが可能である。ユーザデバイス12と同様に、1つまたはいくつかのサーバ60は、CPU、GPU等などの処理ハードウェアと、処理ハードウェアによって実行可能な命令を格納する非一時的コンピュータ可読メモリとを含むことが可能である。
【００１６】
オペレーションにおいては、地理アプリケーション42は、ユーザ入力を受け取ること、およびそのユーザ入力にしたがってインタラクティブなデジタルマップを生成するためにサーバ60からマップデータを取り出すことが可能である。地理アプリケーション42はまた、デジタルマップによって表される地理的エリアにおける場所またはこの地理的エリアにおいて起こるイベントに対応することが可能である、さまざまな関心ポイント(POI)に関するPOIデータをサーバ60から受信することが可能である。いくつかのケースにおいては、地理アプリケーション42は、メモリ20内のローカルキャッシュからマップデータおよび/またはPOIデータを取り出すことが可能である。
【００１７】
例示的なシナリオにおいて、カリフォルニア州サンフランシスコの近代美術館の近くに位置しているユーザが、ユーザデバイス12上で地理アプリケーションを起動する。ユーザは、マップビューポートをサンフランシスコ市の上に位置付け、地理アプリケーション42は、マップビューポートの座標と、マップビューポート内のデジタルマップの現在のズームレベル(すなわち、拡大レベル)の表示とをサーバ60へ送信する。サーバ60は、それに応答して、サンフランシスコのデジタルマップを生成するためのマップデータをユーザデバイス12に提供する。ユーザは次いで、「古本屋」という地理的クエリをタイプ入力して地理アプリケーション42に提出し、地理アプリケーション42は、そのクエリを現在のビューポートの位置およびズームレベルの表示とともにサーバ60へ転送する。サーバ60は、場所データベース64を使用して、いくつかの検索結果を取得し、これらの結果をユーザデバイス12へ伝送する。それぞれの地理的検索結果は、店の名前、店の所在地、営業時間、概要、および格付けを含む。この例示的なシナリオにおいては、デジタルマップが表示される拡大レベルは、(サンフランシスコ市全体を示すために)比較的低く、検索結果の数は比較的多く、複数の検索結果が、市の同じ部分に集中している。同じ視覚的なプロパティを伴って表示される場合には、これらの検索結果のインジケータは、密集した群を定義し、ユーザが最初にズームすることなく所望のインジケータ上を正しくタップすることは一般に困難である。インジケータ管理モジュール44は、ユーザの現在のロケーションに対応するポイントを焦点として選択し、下にあるデジタルマップを修正することなく、その焦点までの距離を考慮してそれぞれのインジケータに関する視覚的なプロパティを選択する。この様式においては、地理アプリケーション42は、ユーザにとってさらに関心がある可能性が高いインジケータに視覚的な強調を提供し、それによって間違ったタップの確率を低減し、デジタルマップと相互作用することの全体的なエルゴノミクスを改善する。
【００１８】
図2を参照すると、別の例示的なシナリオにおける地理アプリケーション42が、ポイント102を中心とするマップビューポートにデジタルマップ100を表示する。デジタルマップ100は一般に、対応する地理的エリアに位置しているさまざまな自然の(たとえば、丘、山、森、川、湖)ならびに人工の(たとえば、道路、建物、公園、橋)エンティティを表す複数のマップ特徴、または単に「特徴」を含むことが可能である。インジケータ管理モジュール44は、ポイント102を焦点として選択し、ポイント102までの距離に少なくとも部分的に基づいてインジケータ110〜114の視覚的なプロパティを選択する。このケースにおけるインジケータは、レストランを表しており、地理アプリケーション42は、地理的クエリ(「レストラン」、「地中海料理」、「ハンバーガー」等)などの明示的なユーザ要求に応答して、または自動的な示唆、もしくは黙示的なユーザ要求としてそれらを表示することが可能である。
【００１９】
インジケータ110は、ポイント102に対応するロケーションに近接した地理的ロケーションに対応する。したがって、インジケータ管理モジュール44は、POIのタイプを表すためのグラフィックシンボル(ナイフとフォーク)ならびにレストランの名前を明記するテキストラベルを含む比較的大きなドットとしてインジケータ100を生成する。インジケータ112は、ポイント102に対応するロケーションへの近接度が、インジケータ110によって表されるロケーションよりも低い地理的ロケーションに対応する。このケースにおけるインジケータ管理モジュール44は、さらに小さなグラフィックシンボルを含むさらに小さなドットを生成し、インジケータ112に関するラベルを生成しない。さらに、インジケータ114は、ポイント102に対応するロケーションへの近接度が、インジケータ112によって表されるロケーションよりも低い、かつインジケータ110によって表されるロケーションよりもさらにいっそう低い地理的ロケーションに対応する。インジケータ管理モジュール44は、グラフィックシンボルもテキストラベルも含まないさらにいっそう小さなドットを生成する。図2において示されるように、インジケータ110〜114は、マップビューポートのすべての部分において、同じ拡大レベル、またはズームレベルを有するデジタルマップ100をオーバーレイする。言い換えれば、インジケータ管理モジュール44は、デジタルマップを構成するマップ特徴の視覚的なプロパティを修正することなく、POIのインジケータのうちの少なくともいくつかの視覚的なプロパティを修正する。
【００２０】
図2の例においては、インジケータ管理モジュール44が焦点までの距離を考慮して選択する視覚的なプロパティは、サイズ、グラフィックアイコンの存在、およびテキストの量を含む。より一般には、インジケータ管理モジュール44は、任意の適切な数の視覚的なプロパティのうちの1つまたは複数を選択することが可能である。上で列挙されている例に加えて、視覚的なプロパティは、色の強度、透明性のレベル、マルチメディアコンテンツ(たとえば、写真、ビデオ)、POIまでのナビゲーション指示を取り出すためのインタラクティブな制御などを含むことが可能である。
【００２１】
インジケータ管理モジュール44は一般に、視覚的なプロパティの任意の適切な数のカテゴリーをインジケータとともに使用することが可能である。上の例においては、インジケータ管理モジュール44は、インジケータ110、112、および114にそれぞれ対応する3つのカテゴリーを使用する。別の実装形態においては、インジケータ管理モジュール44は、個別のカテゴリーを使用せず、その代わりにポイント102への近接度が高まるにつれてインジケータのサイズを徐々に大きくする。より具体的には、このケースにおけるインジケータ管理モジュール44は、焦点までの距離の関数としてインジケータのサイズを計算する。インジケータ管理モジュール44は同様に、透明性のレベルまたは色などのその他の視覚的なプロパティを決定することが可能である。
【００２２】
ユーザがビューポートを再配置した場合には、インジケータ管理モジュール44は、焦点までの距離における変化を考慮してインジケータのうちのいくつかまたはすべての視覚的なプロパティを自動的に調整することが可能である。したがってインジケータ管理モジュール44は、マップビューポート内のコンテンツを効果的にアニメーション化することが可能であり、それによって下にあるデジタルマップに対してマップビューポートが動いている際にインジケータはサイズが増大したり縮小したりして見える。
【００２３】
図3Aおよび図3Bにおいて概略的に示されるシナリオにおいては、マップビューポート152が、デジタルマップ150に対して、矢印154によって示される方向に動いている。混乱を回避するために、デジタルマップ150は、いかなるマップ特徴も伴わずに図3Aおよび図3Bにおいて示される。マップビューポート152の動きは、デジタルマップ150が表示されるタッチスクリーンを介してユーザが「スワイプ」などのジェスチャーをマップビューポート152に適用したことや、「東へパンして」などのタイプされたコマンドまたは音声コマンドを提出したことに起因して、矢印154によって示される方向に動くことであって、それに伴って地理アプリケーション42がユーザの動きにしたがってマップビューポート152を自動的に進めることなどであることが可能である。マップビューポート152が動く際に、デジタルマップ150のズームレベルは同じままである。上で論じられているシナリオと同様に、この例における焦点は、マップビューポート152の幾何学的中心である。
【００２４】
インジケータ管理モジュール44は、デジタルマップ150をレンダリングすることから独立してインジケータ160〜164を生成し、インジケータ160〜164の視覚的なプロパティを、焦点までのそれらのインジケータの距離を考慮して調整する。したがって、ビューポート152が、図3Aにおいて示されるように配置された場合には、インジケータ管理モジュール44は、焦点に近接したPOIに関しては、さらに大きくさらに詳細なインジケータ160を、インジケータ160によって表されるPOIよりも焦点からさらに遠く離れて配置されたPOIに関しては、さらに小さなインジケータ162Aおよび162Bを、ならびにインジケータ164によって表されるPOIよりも焦点からさらに遠く離れて配置されたPOIに関しては、さらにいっそう小さなインジケータ164A〜Dを生成する。ビューポート152が、図3Bにおいて示されるように再配置された場合には、インジケータ管理モジュール44は、結果として生じるインジケータ160'および162B'がインジケータ164Aと同様に見えるようにするようにインジケータ160および162Bの視覚的なプロパティを修正し、結果として生じるインジケータ164B'および164C'を、それぞれ図3Aのインジケータ162Bおよび160と同様に、さらに大きくさらに詳細にするようにインジケータ164Bおよび164Cを修正する。
【００２５】
いくつかの実装形態においては、地理アプリケーション42は、マップデータおよびPOIのインジケータに関して別々の層を保持し、インジケータ管理モジュール44は、デジタルマップの層を修正することなくインジケータの層を動的に修正する。たとえば、図4は、地理アプリケーション42がマップタイル200の上にインジケータタイル202を階層化することによって図2のデジタルマップをどのようにして構築することが可能であるかを示す。図4において示されるように、インジケータは、層202上に配置されており、インジケータ管理モジュール44は、インジケータの視覚的なプロパティを、焦点までのそれらのインジケータの距離を考慮して修正する。図4は、さらに明確にする目的で、インジケータタイル202の「底」に対するインジケータの仮想の標高を示すために(地形図と同様の)等高線を示す。具体的には、インジケータ110は、インジケータ112および110よりも高い標高にあるように、ひいてはより大きく見え、インジケータ112は、インジケータ114よりも高い標高にあるように見える。これらの等高線は、図4においては、明確にするためにのみ示されるということ、および地理アプリケーション42は一般に、デジタルマップ上にインジケータを表示する際に等高線を表示しないということに留意されたい。
【００２６】
いくつかの実装形態および/またはシナリオにおいては、地理アプリケーション42は、インジケータの決定のカテゴリーに関する視覚的なプロパティのみを動的に修正し、その他のインジケータの視覚的なプロパティは修正しない。たとえば、地理的エリアに関する示唆を生成する場合に、地理アプリケーション42は、レストランに対応するPOI、ならびに店、博物館、音楽会場などに対応するPOIを識別することが可能である。たとえば、時刻およびユーザの好みなどの信号に基づいて、インジケータ管理モジュール44は、その他のカテゴリーに属するPOIに関しては同じまたは同様のインジケータを提示しながら、レストランを表すインジケータの視覚的なプロパティは変更すると決めることが可能である。したがって、例示的な実装形態におけるインジケータ管理モジュール44は、午前11:30と午後1:00との間におけるランチプレースを表すインジケータのサイズおよび/または詳細のレベルを動的に変更して、その他のインジケータの視覚的なプロパティは動的に変更しないこと、ならびに午後9:00と午前1:00との間におけるランチバーを表すインジケータのサイズおよび/または詳細のレベルを動的に変更して、その他のインジケータの視覚的なプロパティは動的に変更しないことなどが可能である。この実装形態の一例が、図5において概略的に示されており、図5では階層化は、マップタイル200と、動的に変化するインジケータを伴うインジケータタイル202と、変化しないインジケータ222を伴う別のインジケータタイル220(したがって、インジケータタイル220は、等高線を伴わずに示される)とを含む。
【００２７】
次いで図6を参照すると、デジタルマップ上にインジケータを表示するための例示的な方法300が、コンピュータ可読媒体上に格納されていて1つまたは複数のプロセッサによって実行可能な命令のセットとして実施されることが可能である。方法300は、インジケータ管理モジュール44、ユーザデバイスにおいて動作する別の適切なソフトウェアモジュール、またはネットワークサーバにおいて動作するソフトウェアモジュールにおいて実施されることが可能である。後者の実施形態によれば、図1のサーバ60などのネットワークサーバが、ベクトルフォーマットまたはラスタフォーマットでマップタイルを生成し、インジケータの視覚的なプロパティを動的に変更するための本開示の技術を適用し、生成されたマップタイルをユーザデバイス12に供給する。
【００２８】
方法300は、ブロック302において開始し、ブロック302では、地理的エリアのデジタルマップが、そのデジタルマップの現在見える部分を定義するマップビューポートを用いてユーザデバイスのユーザインターフェースを介して表示される。
【００２９】
ブロック304において、地理的エリア内のPOIが識別される。さまざまなシナリオにおけるPOIは、地理的クエリに応答した検索結果、道案内を求める要求に応答したナビゲーションルートの近くのロケーション、自動的に生成された示唆などに対応する。POIは、会社、駅およびバス停、博物館等などの恒久的なロケーション、ならびに一時的なイベントが行われるロケーションを表すことが可能である。地理アプリケーション42、または方法300が実施される別の適切なモジュールが、1つもしくはいくつかのネットワークサーバにクエリを行うことによって、またはユーザデバイスのメモリに実装されているローカルキャッシュからデータを取り出すことによって、POIを識別することが可能である。
【００３０】
次に、ブロック306において、表示されたデジタルマップの焦点が決定される。一実装形態における焦点は、マップビューポートの幾何学的中心である。追加として、または代替として、焦点は、タッチスクリーンとのユーザの指の接触ポイントであることが可能である。より具体的には、地理アプリケーションは、はじめにインジケータを均一な様式で、すなわちインジケータの視覚的なプロパティを変更することなく、またはマップビューポートの幾何学的中心が焦点の最初の位置を定義する状態を伴って不均一な様式で提示することが可能である。ユーザがスクリーン上をタップした後に、地理アプリケーションは、焦点を接触ポイントへ再配置することが可能である。ユーザは、この実施形態においてはタッチスクリーンとの接触を保持する必要はなく、新たな焦点上をタップした後に、ユーザは次いで、所望のインジケータ上をタップすることが可能である。したがって、たとえばユーザがタッチスクリーンのコーナーの近くをタップしたことに応答して、地理アプリケーションは、マップビューポートの幾何学的中心の近くのインジケータを視覚的に強調解除すること(たとえば、サイズ、詳細、色の強度を低減すること)、およびユーザがスクリーン上でタップしたポイントの近くのインジケータを強調することが可能である。
【００３１】
マウスを備えたデスクトップまたはラップトップコンピュータ上で動作する地理アプリケーションは、マウスポイントのロケーションが焦点を定義する状態を伴って、ほぼ同様の様式で動作することが可能である。したがってユーザは、マップ上の決定のロケーションへマウスオーバーして、そのロケーションにおいてクリックしないことが可能であり、地理アプリケーションは、マウスカーソルのロケーションを焦点として選択することが可能である。
【００３２】
別の実装形態またはシナリオにおいては、焦点は、デジタルマップによって表される地理的エリアにおけるユーザデバイスの現在のロケーションに対応する。より一般には、地理アプリケーションは、任意の適切な数の信号を使用して焦点を決定することが可能である。いずれのケースにおいても、焦点は、インタラクティブなインジケータの視覚的なプロパティを調整するためのコンテキストを定義することが可能である。
【００３３】
具体的には、ブロック308において、インジケータと焦点との間の距離が決定される。それらの距離は、スクリーンピクセルの数、インジケータによって表される物理的なオブジェクト間における現実世界の直線距離、インジケータによって表される物理的なオブジェクト間における現実世界の運転距離(または時間)など、任意の適切な様式で測定されることが可能である。決定された距離を使用して、インジケータに関する視覚的なプロパティが選択されることが可能である。いくつかの実装形態においては、視覚的なプロパティが、決定の距離帯域に属するインジケータに割り振られることが可能であり、視覚的なプロパティの第1のセットが、第1のしきい値距離d1よりも小さい距離dに配置されたインジケータに割り振られることが可能であり、視覚的なプロパティの第2のセットが、d1よりも大きいが第2のしきい値距離d2よりも小さい距離dに配置されたインジケータに割り振られることが可能である、などである。別の実装形態においては、地理アプリケーションは、視覚的なプロパティのそれぞれのセットを、セットの数を帯域のいかなる決定の数にも限定することなく、決定された距離の関数として決定する。
【００３４】
視覚的なプロパティのそれぞれのセットは、インジケータの1つまたは複数のサイズ、色の強度、透明性のレベル、グラフィックの詳細の量(たとえば、シンプルなグラフィックアイコン、より詳細なグラフィックアイコン)、テキストの量(たとえば、テキストなし、名前のみ、名前および所在地)、ロケーションまでのナビゲーション指示を要求するための制御などのさらなる制御の視認性などを含むことが可能である。視覚的なプロパティのセットが、決定された距離を考慮してブロック310において選択される。本方法は次いで、ブロック312へ進み、ブロック312では、選択された視覚的なプロパティにしたがってインジケータが表示される。
【００３５】
いくつかのケースにおいては、地理アプリケーション42は、いくつかの付近のロケーションに関する比較的大きなインジケータ(図2および図3Aそれぞれのインジケータ110および160など)を生成することが可能である。結果として、それらの大きなインジケータは、衝突する(すなわち、少なくとも部分的に重なる)場合がある。地理アプリケーション42は、衝突しているインジケータによって表されるPOI間の相対的な重要度、人気スコア、および/またはその他のパラメータを比較することによってインジケータの間における衝突を解消すること、ならびに比較を考慮して、インジケータのうちのどれが別のインジケータを覆い隠すべきかを決定することが可能である。さらに、いくつかの実装形態においては、地理アプリケーション42は、ユーザが所望のインジケータを選択することを可能にするための曖昧性解消メニューを提示することが可能である。
【００３６】
次に、図7は、デジタルマップ上にオーバーレイされたインジケータの視覚的なプロパティをビューポートの動きにしたがって修正するための例示的な方法350の流れ図を示す。上で論じられている方法300と同様に、方法350は、コンピュータ可読媒体上に格納されていて1つまたは複数のプロセッサによって、実行可能な命令のセットとして実施されることが可能である。方法350は、インジケータ管理モジュール44、ユーザデバイスにおいて動作する別の適切なソフトウェアモジュール、またはネットワークサーバにおいて動作するソフトウェアモジュールにおいて実施されることが可能である。
【００３７】
方法350は、ブロック352において開始し、ブロック352では、現在のビューポート内にデジタルマップが表示される。さまざまなPOIに関するインジケータが、マップビューポートの焦点までのそれぞれの距離を考慮してマップビューポートにおいて表示される(ブロック354)。ビューポートは、ブロック356においてユーザコマンドにしたがって再配置される。ユーザは、たとえばスワイプまたはフリックなどのジェスチャーを適用すること、コマンドをタイプ入力することまたは話すことなどが可能である。地理アプリケーションは次いで、インジケータの視覚的なプロパティを修正することが可能である。実装形態に応じて、地理アプリケーションは、いったんビューポートが移動を停止すると、新たな視覚的なプロパティを適用することが可能であり、または地理アプリケーションは、ビューポートが移動している際に実質的にリアルタイムで新たな視覚的なプロパティを適用することが可能である。
【００３８】
さらなる考慮事項
下記のさらなる考慮事項が、前述の論考に当てはまる。本明細書を通じて、単一のインスタンスとして記述されるコンポーネント、オペレーション、または構造を複数のインスタンスが実施することが可能である。1つまたは複数の方法の個々のオペレーションが、別々のオペレーションとして示され記述されるが、それらの個々のオペレーションのうちの1つまたは複数は、同時に実行されることが可能であり、それらのオペレーションが、示される順序で実行されることを必要とするものはない。例示的な構成において別々のコンポーネントとして提示される構造および機能は、組み合わされた構造またはコンポーネントとして実施されることが可能である。同様に、単一のコンポーネントとして提示される構造および機能は、別々のコンポーネントとして実施されることが可能である。これらおよびその他の変形、修正、追加、および改良は、本明細書における主題の範囲内に収まる。
【００３９】
決定の実施形態は、本明細書においては、ロジック、または複数のコンポーネント、モジュール、もしくはメカニズムを含むものとして記述される。モジュールは、ソフトウェアモジュール(たとえば、マシン可読媒体上で、もしくは伝送信号において具体化されるコード)、またはハードウェアモジュールを構成することが可能である。ハードウェアモジュールは、決定のオペレーションを実行することが可能な有形のユニットであり、決定の様式で構成または配置されることが可能である。例示的な実施形態においては、1つもしくは複数のコンピュータシステム(たとえば、スタンドアロンのコンピュータシステム、クライアントコンピュータシステム、もしくはサーバコンピュータシステム)、またはコンピュータシステムの1つもしくは複数のハードウェアモジュール(たとえば、プロセッサ、もしくはプロセッサのグループ)が、ソフトウェア(たとえば、アプリケーション、またはアプリケーションの部分)によって、本明細書において記述される決定のオペレーションを実行するように動作するハードウェアモジュールとして構成されることが可能である。
【００４０】
特に別段の記載がない限り、「処理する」、「算出する」、「計算する」、「決定する」、「提示する」、「表示する」等などの言葉を使用している本明細書における論考は、情報を受信、格納、伝送、または表示する1つまたは複数のメモリ(たとえば、揮発性メモリ、不揮発性メモリ、もしくはそれらの組合せ)、レジスタ、またはその他のマシンコンポーネント内の物理的な(たとえば、電子的な、磁気的な、または光学的な)量として表されるデータを操作または変換するマシン(たとえば、コンピュータ)のアクションまたはプロセスを指すことが可能である。
【００４１】
本明細書において使用される際には、「一実施形態」または「実施形態」へのいかなる言及も、その実施形態に関連して記述される決定の要素、特徴、構造、または特性が、少なくとも1つの実施形態に含まれているということを意味する。「一実施形態においては」という語句が、本明細書におけるさまざまな個所に登場しても、それらは必ずしもすべて同じ実施形態を指しているとは限らない。
【００４２】
いくつかの実施形態は、「結合される」および「接続される」という表現をそれらの派生語とともに使用して記述されてもよい。たとえば、いくつかの実施形態は、2つ以上の要素が直接の物理的なまたは電気的な接触状態にあるということを示すために、「結合される」という用語を使用して記述されてもよい。しかしながら、「結合される」という用語は、2つ以上の要素が互いに直接の接触状態にはないが、それでもなお互いに協力または相互作用しているということを意味する場合もある。実施形態は、このコンテキストにおいて限定されるものではない。
【００４３】
本明細書において使用される際には、"comprises"(備える)、"comprising"(備えている)、"includes"(含む)、"including"(含む)、"has"(有する)、"having"(有している)という用語、またはそれらのその他の任意の変形は、非排他的な包含をカバーすることを意図されている。たとえば、要素のリストを含むプロセス、方法、製品、または装置は、それらの要素だけに必ずしも限定されず、明示的にリストアップされてはいない、またはそのようなプロセス、方法、製品、もしくは装置に固有のその他の要素を含むことが可能である。さらに、そうではないと明示されていない限り、"or"「または(もしくは)」は、排他的な「または(もしくは)」ではなく、包括的な「または(もしくは)」を指す。たとえば、AまたはBという条件は、「Aが真であり(または存在して)、Bが偽である(または存在しない)」、「Aが偽であり(または存在せず)、Bが真である(または存在する)」、ならびに「AおよびBの両方が真である(または存在する)」のうちのいずれか1つによって満たされる。
【００４４】
加えて、"a"(1つの)または"an"(1つの)の使用は、本明細書における実施形態の要素およびコンポーネントについて記述するために採用されている。これは、便宜上およびさまざまな実施形態の一般的な意味を与えるために行われているにすぎない。この記述は、1つまたは少なくとも1つを含むと読み取られるべきであり、単数は複数も含み、ただし、そうではないことが意味されているということが明らかである場合は除く。
【００４５】
本開示を読めば、当技術分野における標準的な技術者なら、本明細書における開示される原理を通じて、デジタルマップ上のインジケータの視覚的なプロパティを動的に変更するためのまたさらなる代替の構造的なおよび機能的な設計を理解するであろう。したがって、決定の実施形態および応用例が示され記述されるが、開示される実施形態は、本明細書において開示される厳密な構造およびコンポーネントに限定されるものではないということを理解されたい。当業者にとって明らかであろうさまざまな修正、変更、および変形が、添付の特許請求の範囲において定義されている趣旨および範囲から逸脱することなく、本明細書において開示される方法および装置のアレンジ、オペレーション、および詳細において行われることが可能である。
【符号の説明】
【００４６】
10  システム
12  ユーザデバイス
14  プロセッサ
20  コンピュータ可読メモリ
22  ユーザインターフェース
24  ネットワークインターフェース
26  センサ
40  オペレーティングシステム
42  地理アプリケーション
44  インジケータ管理モジュール
50  通信ネットワーク
60  マップデータ/地理データサーバ
62  マップデータベース
64  場所ページデータベース
100  デジタルマップ
102  ポイント
110  インジケータ
112  インジケータ
114  インジケータ
150  デジタルマップ
152  マップビューポート
154  矢印
160  インジケータ
160'  インジケータ
162A  インジケータ
162B  インジケータ
162B'  インジケータ
164  インジケータ
164A  インジケータ
164C  インジケータ
164C'  インジケータ
164D  インジケータ
200  マップタイル
202  インジケータタイル
220  インジケータタイル
222  インジケータ
300  方法
350  方法
【図１】
2020533617.tif 000003
【図２】
2020533617.tif 000004
【図３Ａ】
2020533617.tif 000005
【図３Ｂ】
2020533617.tif 000006
【図４】
2020533617.tif 000007
【図５】
2020533617.tif 000008
【図６】
2020533617.tif 000009
【図７】
2020533617.tif 000010
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
コンピューティングデバイスにおいて地理的コンテンツを表示するための方法であって、
マップビューポート内のユーザインターフェースを介して、地理的エリアにおけるそれぞれのエンティティを表す複数の特徴を含むデジタルマップを表示するステップであって、前記複数の特徴のそれぞれが同じ拡大レベルで表示される、ステップと、
1つまたは複数のプロセッサによって、前記マップビューポート内の前記地理的エリア内の複数のジオロケートされた関心ポイントを決定するステップと、
前記1つまたは複数のプロセッサによって、前記マップビューポートの焦点を決定するステップと、
前記デジタルマップ上にオーバーレイされた前記複数の関心ポイントに関するそれぞれのインジケータを前記マップビューポート内に表示するステップであって、前記複数のインジケータのそれぞれに関して、前記インジケータに対応する地理的ロケーションと、前記マップビューポートの前記焦点に対応する地理的ロケーションとの間の距離にしたがって前記インジケータのサイズおよび詳細のレベルを変更するステップを含む、ステップと
を含む、方法。
【請求項２】
前記インジケータに対応する前記地理的ロケーションと、前記マップビューポートの前記焦点に対応する前記地理的ロケーションとの間における前記距離にしたがって前記インジケータの色を変更するステップをさらに含む、請求項1に記載の方法。
【請求項３】
前記複数のジオロケートされた関心ポイントが、第1のカテゴリーに対応する第1の複数のジオロケートされた関心ポイントであり、前記方法が、
前記1つまたは複数のプロセッサによって、前記地理的エリア内の第2の複数のジオロケートされた関心ポイントを決定するステップであって、前記第2の複数のジオロケートされた関心ポイントが第2のカテゴリーに対応する、ステップと、
前記デジタルマップ上にオーバーレイされた前記第2の複数の関心ポイントに関する等しいサイズのそれぞれのインジケータを前記マップビューポート内に表示するステップと
をさらに含む、請求項1に記載の方法。
【請求項４】
前記焦点を決定するステップが、前記マップビューポートの幾何学的中心を決定するステップを含み、前記幾何学的中心が前記焦点を定義する、請求項1に記載の方法。
【請求項５】
前記デジタルマップを表示するステップが、タッチスクリーン上に前記デジタルマップを表示するステップを含み、前記焦点を決定するステップが、前記マップビューポート内の接触ポイントを決定するステップを含み、前記接触ポイントが前記焦点を定義する、請求項1に記載の方法。
【請求項６】
前記コンピューティングデバイスの現在のロケーションを決定するステップと、
前記コンピューティングデバイスの前記現在のロケーションを表す前記マップビューポート内のポイントを決定するステップであって、前記決定されたポイントが前記焦点を定義する、ステップと
をさらに含む、請求項1に記載の方法。
【請求項７】
1つまたは複数の検索語を含む地理的クエリを受信するステップをさらに含み、前記複数のジオロケートされた関心ポイントを決定するステップが、前記地理的クエリに応答して複数のジオロケートされた検索結果を受信するステップを含む、請求項1に記載の方法。
【請求項８】
前記ユーザインターフェースを介して、地理的エリアの選択を受信するステップをさらに含み、前記複数のジオロケートされた関心ポイントを決定するステップが、前記地理的エリア内に配置された自動的な示唆の表示を受信するステップを含む、請求項1に記載の方法。
【請求項９】
コンピューティングデバイスであって、
ユーザインターフェースと、
処理ハードウェアと、
命令を格納している非一時的コンピュータ可読メモリと
を含み、前記命令が、前記処理ハードウェアによって実行されたときに、前記コンピューティングデバイスに、
マップビューポート内の前記ユーザインターフェースを介して、地理的エリアにおけるそれぞれのエンティティを表す複数の特徴を含むデジタルマップを表示することであって、前記複数の特徴のそれぞれが同じ拡大レベルで表示される、表示することと、
前記マップビューポート内の前記地理的エリア内の複数のジオロケートされた関心ポイントを決定することと、
前記マップビューポートの焦点を決定することと、
前記デジタルマップ上にオーバーレイされた前記複数の関心ポイントに関するそれぞれのインジケータを前記マップビューポート内に表示することであって、前記複数のインジケータのそれぞれに関して、前記インジケータに対応する地理的ロケーションと、前記マップビューポートの前記焦点に対応する地理的ロケーションとの間の距離にしたがって前記インジケータのサイズおよび詳細のレベルを変更することを含む、表示することと
を行わせる、コンピューティングデバイス。
【請求項１０】
前記命令が、前記処理ハードウェアによって実行されたときに、前記インジケータに対応する前記地理的ロケーションと、前記マップビューポートの前記焦点に対応する前記地理的ロケーションとの間における前記距離にしたがって前記インジケータの色を変更することを前記コンピューティングデバイスに行わせる、請求項9に記載のコンピューティングデバイス。
【請求項１１】
前記複数のジオロケートされた関心ポイントが、第1のカテゴリーに対応する第1の複数のジオロケートされた関心ポイントであり、前記命令が、前記処理ハードウェアによって実行されたときに、
前記地理的エリア内の第2の複数のジオロケートされた関心ポイントを決定することであって、前記第2の複数のジオロケートされた関心ポイントが、第2のカテゴリーに対応する、決定することと、
前記デジタルマップ上にオーバーレイされた前記第2の複数の関心ポイントに関する等しいサイズのそれぞれのインジケータを前記マップビューポート内に表示することと
を前記コンピューティングデバイスに行わせる、請求項9に記載のコンピューティングデバイス。
【請求項１２】
前記焦点を決定するために、前記命令が、前記マップビューポートの幾何学的中心を決定することを前記コンピューティングデバイスに行わせ、前記幾何学的中心が前記焦点を定義する、請求項9に記載のコンピューティングデバイス。
【請求項１３】
コンピューティングデバイスにおいて地理的コンテンツを表示するための方法であって、
1つまたは複数のプロセッサによってユーザインターフェースを介して、第1の地理的エリアを示すためにマップビューポート内にデジタルマップを提供するステップであって、前記デジタルマップが、前記デジタルマップの現在視認可能な部分を定義する、ステップと、
前記1つまたは複数のプロセッサによって、前記第1の地理的エリアと同じズームレベルで第2の地理的エリアを示すために、ユーザインターフェースを介して受け取られたユーザコマンドにしたがって前記デジタルマップに対して前記マップビューポートをパンするステップであって、前記第1の地理的エリアおよび前記第2の地理的エリアが重なり合って、重なりの領域を定義する、ステップと、
前記重なりの領域において関心ポイントのインジケータを表示するステップであって、前記マップビューポートが前記第1の地理的エリアから前記第2の地理的エリアへパンされた際に前記インジケータの1つまたは複数の視覚的なプロパティを修正するステップを含む、ステップと
を含む、方法。
【請求項１４】
前記インジケータの前記1つまたは複数の視覚的なプロパティを修正するステップが、前記インジケータのサイズを修正することを含む、請求項13に記載の方法。
【請求項１５】
前記1つまたは複数のプロセッサによって、前記マップビューポートの焦点を決定するステップと、
前記1つまたは複数のプロセッサによって、前記インジケータに対応する地理的ロケーションと、前記焦点に対応する地理的ロケーションとの間の距離を決定するステップと
をさらに含み、
前記インジケータの前記1つまたは複数の視覚的なプロパティを修正するステップが、前記決定された距離にしたがって前記1つまたは複数の視覚的なプロパティを修正するステップを含む、
請求項13に記載の方法。
【請求項１６】
前記マップビューポートの前記焦点を決定するステップが、前記マップビューポートの幾何学的中心を決定するステップを含む、請求項15に記載の方法。
【請求項１７】
前記マップビューポートの前記焦点を決定するステップが、前記コンピューティングデバイスの現在のロケーションを決定するステップを含む、請求項15に記載の方法。
【請求項１８】
前記デジタルマップを表示するステップが、タッチスクリーン上に前記デジタルマップを表示するステップを含み、前記焦点を決定するステップが、前記マップビューポート内の接触ポイントを決定するステップを含む、請求項15に記載の方法。
【国際調査報告】
2020533617.tif 000011
2020533617.tif 000012
2020533617.tif 000013
2020533617.tif 000014